(57)【特許請求の範囲】
【請求項１】
前面開口の断熱箱体からなる貯蔵庫本体の天井壁には窓孔が開口され、冷却器を下面側に取り付けた断熱性のユニット台が前記窓孔の上面を塞いで載置されるとともに、前記貯蔵庫本体内の天井部には、前記窓孔の下面側を覆うようにしてダクトが張設されることで前記冷却器を収納した冷却器室が形成され、この冷却器室内で生成された冷気が庫内に循環供給されるようにした冷却貯蔵庫において、
前記ダクトには左右一対の取付板が立ち上がり形成され、各取付板の上縁には前後一組ずつの掛止部が設けられて共に前後いずれか一方に突出した略鈎状に形成されているとともに、
前記窓孔の周面には合成樹脂製の窓枠が嵌着され、この窓枠の左右の面には、前記ダクトの前記掛止部が掛止可能な被掛止部が前後一組ずつ一体形成されてこの被掛止部が突部とされ、
かつ、前記前後の突部では、対応する前記掛止部を掛止する掛止面が前後方向において互いに逆勾配の傾斜面に形成されており、
前記ダクトの手前の端縁側には、庫内の天井面にねじ止め可能な取付部が設けられていることを特徴とする冷却貯蔵庫。
【請求項２】
前記前後の突部のうち後側の突部の掛止面が、張設作業時における前記ダクトの移動方向に沿って上り勾配に形成されている一方、前側の突部の掛止面が下り勾配に形成されていることを特徴とする請求項１記載の冷却貯蔵庫。
【請求項３】
前記前後の掛止部のうちの少なくともいずれか一方が、対応する突部を上下に挟持可能となっていることを特徴とする請求項１または請求項２記載の冷却貯蔵庫。
【請求項４】
前記ダクトが張設された状態では、同ダクトに立ち上がり形成された左右の取付板の上縁が、前記窓枠の左右の面に沿ってその下縁よりも上方まで入り込んでいることを特徴とする請求項１ないし請求項３のいずれか一項に記載の冷却貯蔵庫。
【発明の詳細な説明】
【技術分野】
【０００１】
本発明は、冷却貯蔵庫における冷却用ダクトの取付構造に関する。
【背景技術】
【０００２】
縦型冷蔵庫の一例として、特許文献１に記載されたものが知られている。このものは、前面開口の断熱箱体からなる貯蔵庫本体の天井壁に窓孔が開口されるとともに、断熱性のユニット台の上面側に圧縮機等の冷凍装置を、下面側に冷却器をそれぞれ取り付けたユニットが設けられて、そのユニット台が窓孔の上面を塞いで載置される。一方、貯蔵庫本体内の天井部には、ドレンパンを兼ねた冷却用のダクトが窓孔の下面側を覆うようにして張設されることにより冷却器室が形成され、その中に上記の冷却器と庫内ファンとが収納される。  
そして冷却運転時には、庫内空気が例えばダクトの手前側から冷却器室内に吸い込まれ、冷却器を通過することで生成された冷気が奥側から庫内に吹き出されることによって庫内が冷却され、一方適宜に行われる除霜運転時には、ダクトがドレンパンとして機能して除霜水を受け、ダクトの奥縁等に突設された排水路から、貯蔵庫本体の壁面に形成された排水用通路を通って庫外に排水されるようになっている。
【特許文献１】特開平３−２７４３７０号公報
【発明の開示】
【発明が解決しようとする課題】
【０００３】
ところで従来、ダクトを取り付ける部分の構造は、ダクトの周縁部を、庫内の天井面における窓孔の孔縁部に当て、全周にわたり複数箇所でねじ止めするようにしていた。  
すなわち従来構造では、ねじ止めの箇所が多いことに加え、実際のねじ止めの作業は、ダクトに設けられたねじの挿通孔を、対応する天井面のねじ孔に位置合わせした状態で一方の手でダクトを押さえながら、もう一方の手でドライバを持ってねじを回す必要があるため、取り付けの作業がしにくいという問題があった。  
本発明は上記のような事情に基づいて完成されたものであって、その目的は、ダクトの取り付けを簡単にできるようにするところにある。
【課題を解決するための手段】
【０００４】
請求項１の発明は、前面開口の断熱箱体からなる貯蔵庫本体の天井壁には窓孔が開口され、冷却器を下面側に取り付けた断熱性のユニット台が前記窓孔の上面を塞いで載置されるとともに、前記貯蔵庫本体内の天井部には、前記窓孔の下面側を覆うようにしてダクトが張設されることで前記冷却器を収納した冷却器室が形成され、この冷却器室内で生成された冷気が庫内に循環供給されるようにした冷却貯蔵庫において、前記ダクトには左右一対の取付板が立ち上がり形成され、各取付板の上縁には前後一組ずつの掛止部が設けられて共に前後いずれか一方に突出した略鈎状に形成されているとともに、前記窓孔の周面には合成樹脂製の窓枠が嵌着され、この窓枠の左右の面には、前記ダクトの前記掛止部が掛止可能な被掛止部が前後一組ずつ一体形成されてこの被掛止部が突部とされ、かつ、前記前後の突部では、対応する前記掛止部を掛止する掛止面が前後方向において互いに逆勾配の傾斜面に形成されており、前記ダクトの手前の端縁側には、庫内の天井面にねじ止め可能な取付部が設けられている構成としたところに特徴を有する。
請求項２の発明は、請求項１に記載のものにおいて、前記前後の突部のうち後側の突部の掛止面が、張設作業時における前記ダクトの移動方向に沿って上り勾配に形成されている一方、前側の突部の掛止面が下り勾配に形成されているところに特徴を有する。
【０００５】
請求項３の発明は、請求項１または請求項２に記載のものにおいて、前記前後の掛止部のうちの少なくともいずれか一方が、対応する突部を上下に挟持可能となっているところに特徴を有する。
請求項４の発明は、請求項１ないし請求項３のいずれか一項に記載のものにおいて、前記ダクトが張設された状態では、同ダクトに立ち上がり形成された左右の取付板の上縁が、前記窓枠の左右の面に沿ってその下縁よりも上方まで入り込んでいるところに特徴を有する。
【発明の効果】
【０００６】
＜請求項１の発明＞
ダクトは、前後の掛止部が対応する被掛止部である突部の前方または後方にある状態で窓孔に対して下方から差し込まれ、所定量差し込まれたのち後方または前方に移動させることにより、前後の掛止部がそれぞれ対応する突部に掛止されて仮保持される。ダクトが仮保持されたのち、その手前側の縁部に設けられた取付部を庫内の天井面にねじ止めすることで固定される。
ダクトを位置決めして仮保持できるから、両手を利用できるか、せいぜいダクトに片手を軽く添える程度でねじの締め付け作業を行うことができ、その上、ねじ止めする箇所は、ダクトの手前の端縁側といった貯蔵庫本体の前面開口に近い側のみの少数箇所であるから、ねじ止めの作業自体も容易にかつ短時間に行える。もってダクトの取り付けが簡単となり、その上、ダクトを仮保持する被掛止部を窓枠に一体形成したから、部品点数の増加が抑えられ、安価に対応することが可能となる。
ダクトを仮保持する場合において、ダクトの掛止部を窓枠に設けられた突部に掛止する作業をしやすくしようとすれば、突部の掛止面をダクトの移動方向に沿って上り勾配とすることが有効であるが、両掛止面とも上り勾配とすると、ダクトがずり落ちやすいと言える。そこで、一方の突部の掛止面を逆の下り勾配としたから、前後の掛止部が対応する突部に掛止された限りは、手を離してもずり落ちるようなことはない。
【０００７】
＜請求項２の発明＞
前後の突部で掛止面の勾配を順逆変えるに当たり、前側の突部すなわち貯蔵庫本体の前面開口に近い側に位置する突部の方の掛止面を、逆勾配である下り勾配としたから、本来し辛い掛止作業も比較的簡単に行え、全体として掛止作業を比較的簡単に行えるようにした上で、ダクトを手を放しても落下しない仮保持状態に留め置くことができる。
＜請求項３の発明＞
前後の掛止部の少なくとも一方が、対応する突部を上下両側から挟んでいるから、例えば当該冷却貯蔵庫の輸送時や、冷却運転時等の振動の影響を受けてダクトががたつくのが抑えられる。
【発明を実施するための最良の形態】
【０００９】
＜実施形態＞
以下、本発明の一実施形態を図１ないし図１６に基づいて説明する。  
図１において、符号１０は冷蔵庫本体であって、内箱１１と外箱１２との間に発泡樹脂等からなる断熱材１３が充填された前面開口の縦長の断熱箱体から構成されており、４本の脚１４で支持されているとともに、内部が貯蔵室１５となっている。貯蔵室１５内には、棚受部材１６を介して棚網１７が多段に設置できるようになっている。貯蔵室１５の前面の開口部１８には、断熱扉１９が揺動開閉可能に装着されている。
【００１０】
冷蔵庫本体１０の上面には、上面開放の機械室２１が設けられ、その中に冷凍装置２２が設置されている。冷凍装置２２は、圧縮機２３、凝縮器２４及び凝縮器ファン２４Ａ等を備え、断熱性の基台２５上に取り付けられてユニット化されている。一方、貯蔵室１５の天井壁１５Ａには方形状の窓孔２８が開口され、その窓孔２８を塞ぐようにしてユニットの基台２５が取り付けられている。  
貯蔵室１５の天井部分における窓孔２８の下面側には、詳しくは後記するように、冷却ダクト４０が張設され、その上方に冷却器室３０が形成されている。冷却ダクト４０の底面は、奥縁（図１の右側）に向けて下り勾配となるように形成され、手前側の領域に吸込口３２が開口されているとともに、奥縁と貯蔵室１５の背面壁１５Ｂとの間に吹出口３３が形成されている。
【００１１】
冷却器室３０内では、冷却器２６（蒸発器）が基台２５の下面に取り付けられ、また庫内ファン３５が吸込口３２に嵌められて装備されている。冷却器２６は上記した冷凍装置２２と冷媒配管で循環接続され、周知の冷凍サイクルを構成している。そして、冷凍装置２２（圧縮機２３）を運転しつつ庫内ファン３５を駆動すると、貯蔵室１５の室内空気が庫内ファン３５によって吸込口３２から冷却器室３０内に吸引され、その空気が冷却器２６を流通する間に熱交換によって冷気が生成され、その冷気が吹出口３３から貯蔵室１５の奥面に沿うようにして吹き出され、貯蔵室１５内に冷気が循環供給される。また、庫内サーミスタ３６（図２参照）により庫内温度が検知され、庫内温度に応じて冷凍装置２２の運転と停止とが制御されて、庫内温度が略一定の冷却温度に維持されるようになっている。
【００１２】
また、冷却器２６等に付着した霜を除去するために、適宜に除霜運転が行われる。そのため、冷却器２６には除霜ヒータ（図示せず）が装備されるとともに、冷却器２６の下面にはドレンパン７５が配設されている。除霜運転は、除霜ヒータに通電して冷却器２６を加熱することにより行われ、除霜水はドレンパン７５で受けられたのち、冷蔵庫本体１０の背面壁１５Ｂ内に設けられた排水用通路３８を通って庫外に排水されるようになっている。
【００１３】
続いて、除霜水の排水部分の構造を詳細に説明する。  
冷却ダクト４０はＡＢＳ樹脂等の合成樹脂製であって、図４及び図５に示すように、平面略方形の皿状に形成されており、ただし左右の側壁４１は、手前側（図４の左側）から奥側に向けて次第に背が高くなるように形成され、後記するように、同側壁４１の上縁が水平姿勢をなすように取り付けられ、その取付状態において、冷却ダクト４０の底面４２が奥縁に向けて下り勾配となった傾斜姿勢を取るようになっている。
【００１４】
冷却ダクト４０の底面４２には、左右の側壁４１から所定寸法内側に入った位置において、左右一対の取付板４３が立ち上がって形成されている。両取付板４３は、左右の側壁４１と同じく、手前側から奥側に向けて次第に背が高くなるように形成され、全体としては、側壁４１よりも若干背が高くなっている。  
各取付板４３の上縁には、前後２箇所の位置において掛止部４５が形成されている。前側（図４の左側）の掛止部４５Ｆは、後方を向いた鈎形に形成され、その掛止縁４６Ｆは後方に向けて下り勾配となっている。後側の掛止部４５Ｒには、後縁に開口した溝４７が切られており、この溝４７は溝の奥に向けて幅が次第に狭くなり、掛止縁４６Ｒとなる溝４７の上縁は、上記した前側の掛止部４５の掛止縁４６Ｆとは逆に、前方に向けて下り勾配となっている。なお、後側の掛止部４５Ｒにおける溝４７が切られた後部を含め、取付板４３の後部側の所定領域４８が、他の部位と比べて厚肉部とされている（図５参照）。
また、正面から見た右側の取付板４３には、前側の掛止部４５Ｆの形成位置の下方内側に、庫内ファン３５のリード線３５Ｂを保持するパースロック４９（図３参照）の装着位置が設けられている。
【００１５】
冷蔵庫本体１０の天井壁１５Ａに形成された窓孔２８には、図６に示すように、前後左右の各周面に合成樹脂製の窓枠５０，５１が嵌着されている。そのうち左右の窓枠５１の内面には、上記した冷却ダクト４０の前後の掛止部４５Ｆ，４５Ｒが掛止される突部５２Ｆ，５２Ｒが一体的に形成されている。両突部５２Ｆ，５２Ｒはともに、図７及び図８に示すように、取付板４３の板厚の３倍程度の厚さ寸法と、掛止縁４６の２倍程度の長さ寸法を持った前後方向にやや細長い形状に形成されている。前側の突部５２Ｆには、前側の掛止部４５Ｆが上方から掛止可能とされ、その上面である掛止面５３Ｆは、掛止縁４６Ｆに倣って後方に向けて下り勾配となった傾斜面とされている。後側の突部５２Ｒは、後側の掛止部４５Ｒの溝４７が前方から嵌ることが可能で、溝４７の形状に倣い、前端側が先窄まりに形成されており、その上面である掛止面５３Ｒは、前側の突部５２Ｆの掛止面５３Ｆとは逆に、前方に向けて下り勾配となった傾斜面とされている。
【００１６】
したがって冷却ダクト４０は、前後の掛止部４５Ｆ，４５Ｒがそれぞれ前後の突部５２Ｆ，５２Ｒよりも前方に外れた位置において、左右の取付板４３が、天井壁１５Ａの窓孔２８における左右の窓枠５１の内面に沿って下方から入れられる。冷却ダクト４０の前壁４４並びに左右の側壁４１の上縁が、窓孔２８の下面側における前縁から左右の側縁にわたって当たるまで押し上げられると、各掛止部４５Ｆ，４５Ｒの掛止縁４６Ｆ，４６Ｒが、対応する突部５２Ｆ，５２Ｒの上方に至るから、引き続いて冷却ダクト４０を奥側に押し込むと、図８に示すように、後側の掛止部４５Ｒの溝４７が後側の突部５２Ｒに前方から嵌って、同掛止部４５Ｒの掛止縁４６Ｒが掛止面５３Ｒに掛止されるとともに、前側の掛止部４５Ｆの掛止縁４６Ｆが前側の突部５２Ｆの掛止面５３Ｆに掛止される。
【００１７】
ここで、後側の掛止部４５Ｒは、庫内の奥側にあって突部５２Ｒに掛止し辛いとも言えるが、後側の掛止部４５Ｒには、溝奥（前方）が幅狭となった溝４７が形成され、この溝４７が、前端側が先窄まりとなった突部５２Ｒに手前側から嵌められるのであるから、ガイドされつつ簡単に嵌められ、すなわち簡単に掛止することができる。ただ、後側の突部５２Ｒの掛止面５３Ｒが前下がりとなっているため、掛止部４５Ｒは前方にずり落ちやすいと言えるが、前側の掛止部４５Ｆを掛止する突部５２Ｆの掛止面５３Ｆは、逆に後下がりの傾斜面となっているから、前後の掛止部４５Ｆ，４５Ｒを対応する突部５２Ｆ，５２Ｒに掛止したのちは、手を放しても冷却ダクト４０が落ちることはない。前側の突部５２Ｆに対しては、ガイド機能は期待できないが、掛止部４５Ｆを上から引っ掛けるだけでよく、しかも貯蔵室１５の前面の開口部１８に近い位置にあるから、掛止部４５Ｆを突部５２Ｆに掛止する作業も比較的簡単に行える。
【００１８】
また、後側の掛止部４５Ｒは、溝４７の上下両縁が対応する突部５２Ｒを上下に挟んだ状態にあり、例えば当該冷蔵庫の輸送時や、冷却運転の際に振動を受けた場合にも、冷却ダクト４０ががたつくことが抑制される。  
なお、冷却ダクト４０の左右の側壁４１等が、窓孔２８の下面側における左右の側縁等に当たった場合に、掛止部４５の掛止縁４６と、対応する突部５２の掛止面５３との間に、上下方向に１mm程度の隙間ｃが開く設定としておくと、例えば天井壁１５Ａが膨張した場合等にも掛止を担保し得る、いわゆる余裕度が得られる。
【００１９】
再び図４及び図５において、冷却ダクト４０の前縁部には、その左右両端部に寄った２箇所に取付座５５が形成されている。この取付座５５は、冷却ダクト４０の前壁４４の上縁と面一の高さに形成され、ねじ５６の挿通孔５７が開口されている。一方、窓孔２８の下面側における前側の縁部には、同ねじ５６が螺合されるねじ孔（図示せず）が対応して形成されている。  
冷却ダクト４０の底面における手前側の領域には、上記した吸込口３２が左右に２個の並んで形成されている。吸込口３２の回りには、四隅に位置するようにして取付座５９が設けられおり、庫内ファン３５はケーシング３５Ａの四つ角が取付座５９に嵌められ、図３に示すように、対角の２位置がねじ６０で止められることで固定されている。また、吸込口３２の側縁部には、リベット孔６１が図示３箇所開口されている。
【００２０】
各吹込口３２の手前側の縁部には、左右一対ずつ固定片６３が冷却ダクト４０の底面から直角に立ち上がって形成されており、特に正面から見た各左側の固定片６３Ａが、ケーシング３５Ａの側面に弾性的に当接可能となっている。したがって、各庫内ファン３５から引き出されたリード線３５Ｂは、図２に示すように、それぞれ固定片６３Ａとケーシング３５Ａの外面との間で挟持され、それぞれ右側に延出されたのち、図３に示すように、４本揃って一番の右側の固定片６３Ｂに一巻きされ、そののちパースロック４９で保持されて機械室２１側に向けて導出される。  
係る構造としたことにより、リード線３５Ｂが庫内ファン３５に巻き込まれるおそれがなく、また固定片６３Ｂに一巻きしたことでストレインリリーフ機能が果たされ、機械室２１側からリード線３５Ｂが引っ張られた場合にも、モータ側の接続端に負荷が加わることが回避される。
【００２１】
冷却ダクト４０は言い換えると、奥縁側が最深部となっており、図５に示すように、奥壁６５における幅方向の中央よりも正面から見て少し左側に寄った位置に、排水路６７が形成されている。なお、奥壁６５は、左右の端部から排水路６７の形成位置に向かうに従い、僅かではあるが奥側に突出するような傾斜姿勢に形成されている。排水路６７は、図１２に示すように、底部側が円弧状となったＵ字形断面の溝状に形成されており、奥側に向けて先下がりの姿勢で形成されている。より詳細には、図４に示すように、排水路６７の底壁は、冷却ダクト４０の底面４２と同じ傾斜で連続して形成されている。一方、側壁は、その付け根側に冷却ダクト４０の奥壁６５と同じ高さの上部ストッパ６９が形成され、その先が一段低くなるように形成され、さらに先端の角の部分には、斜めに切除された逃がし部６８が形成されている。また、排水路６７の内底壁の先端側には、長さ方向に沿った背の低い２本のリブ７０が立てられているとともに、最先端部は、急角度で下方に向けて曲げられている。外底壁におけるリブ７０の少し後方位置には、小幅の下部ストッパ７１が形成されている。
【００２２】
冷却ダクト４０の底面４２上には、除霜水を受けるドレンパン７５が載置されている。このドレンパン７５はアルミニウム板製であって、全体としては、図３及び図９に示すように、冷却ダクト４０の底面４２における左右の取付板４３の間で、かつ前壁４４から少し奥に入った位置から奥壁６５に対して所定間隔を開けた近接位置に至る領域に収まるほぼ方形状に形成されている。ただし、ドレンパン７５の前部側では、上記した庫内ファン３５を逃がす切欠部７６が形成されており、この前部側を図示３箇所でリベット７７等で締結することにより（図３参照）、所定位置に張られるようになっている。
【００２３】
ドレンパン７５は、冷却ダクト４０の傾斜に倣って張られるために、必然的に奥縁側が最深部となり、その奥縁に奥壁７９が形成される一方、図９に示すように、同奥壁７９における幅方向の中央から少し左側に寄った位置に、すなわち冷却ダクト４０の排水路６７と対応した位置に排水口８０が形成されている。詳細には、奥壁７９はドレンパン７５の奥縁部を直角に起こすことで、冷却ダクト４０の奥壁６５とほぼ同じ高さ寸法を持って形成されているとともに、同奥壁７９は、短い左奥壁７９Ａと長い右奥壁７９Ｂとに分断されている。さらに、図１０に示すように、左右両奥壁７９Ａ，７９Ｂの分断端は、それぞれ下側のほぼ半分の高さ部分で所定寸法切除され、これにより排水口８０が形成されている。この排水口８０は、冷却ダクト４０の排水路６７とほぼ同幅を有している。
【００２４】
奥壁７９全体としては、冷却ダクト４０の奥壁６５に倣い、左右の端部から排水口８０の形成位置に向かうに従い、僅かではあるが奥側に突出するような傾斜姿勢に形成されている。これにより、ドレンパン７５の奥壁７９と冷却ダクト４０の奥壁６５との間に、所定間隔を開けた装着空間８２が全幅にわたって形成されている。  
左右の奥壁７９Ａ，７９Ｂの上縁には、それぞれ左端または右端から分断端の少し手前の位置にわたり、フランジ８３が奥側に直角曲げして形成されており、このフランジ８３が、上記した冷却ダクト４０とドレンパン７５の奥壁６５，７９同士の間に形成された装着空間８２の上面を覆うようになっている。
【００２５】
また、上記した排水口８０の上縁からは、細長いカバー８５が奥側に向けて突設されている。このカバー８５は、同じくアルミニウム板製であって、図１０及び図１２に示すように、伏コ字形断面で排水路６７内に緊密に嵌る幅を有しており、基端側を排水口８０のほぼ上半分に嵌めて溶接により固定されている。  
すなわち、ドレンパン７５が冷却ダクト４０の底面４２の所定位置に張られると、排水口８０の上縁から突設されたカバー８５が、排水路６７の中央高さ位置よりも少し上方位置に嵌って、カバー８５と排水路６７の底面との間に十分な流通断面を確保しつつ排水路６７の上面開口を塞ぐ。またカバー８５の先端は、図３に示すように、排水路６７の先端よりも控えた位置、例えば側壁に設けられた逃がし部６８の手前の位置まで達している。
【００２６】
上記したドレンパン７５の奥壁７９からカバー８５にわたってコードヒータ９０が配線されるようになっている。コードヒータ９０は、ヒータ線をシリコンゴムで被覆した形状であり、その両端には、接続部９１を介して被覆電線からなるリード線９２が引き出されている。  
コードヒータ９０の配線態様の一例は、以下のようである。図１１に示すように、まずコードヒータ９０の一端が、右奥壁７９Ｂ（同図では左側）の外面における右端のほぼ中央高さ位置に配されて、同右奥壁７９Ｂの外面に沿って排水口８０に向けて配線される。続いて図９に示すように、カバー８５の上面における右側縁に沿って先端側に向けて配線され、カバー８５の先端から突出したところでＵターンされて、反対の左側縁に沿って基端側に向けて配線される。次に、再び図１１に示すように、左奥壁７９Ａの外面における中央高さ位置を左端（同図では右端）まで配線される。コードヒータ９０の他端から引き出されたリード線９２は左端で上方にＵターンされたのち、左奥壁７９Ａから右奥壁７９Ｂにわたる外面の上部位置に沿って配線される。
【００２７】
上記のように配線された状態で、粘着面を備えたアルミ箔９４により奥壁７９Ａ，７９Ｂの外面並びにカバー８５の上面に貼り付けられる。ただし、カバー８５の上面の先端から突出したＵ字状の折り返し部９３は、排水路６７の先端部の上方において浮いた状態で配されることになる。また、両リード線９２は、揃って右奥壁７９Ｂの端部から引き出されるようになっている。
【００２８】
上記した冷却ダクト４０の排水路６７が、冷蔵庫本体１０の背面壁１５Ｂ内に形成された排水用通路３８と接続されている。この排水用通路３８は背面壁１５Ｂ内において上部位置から下面に開口して縦向きに形成されており、その上部位置には、図１６に示すように、フランジ９５Ａ付きの接続口９５の一端が接続され、フランジ９５Ａが内箱１２に固定されて、他端が背面壁１５Ｂの内面に開口している。したがって排水路６７の先端側が、接続口９５を通って排水用通路３８内に進出可能とになっている。  
なお排水用通路３８の下端部には、図示しないドレンホースが接続され、排水溝等の排水箇所に導かれている。
【００２９】
また、断熱扉１９の開閉や冷却運転に伴って貯蔵室１５内が負圧に傾いた場合に、排水用通路３８を通って外気が貯蔵室１５内に逆流しないように、排水路６７の差し込み部分を塞ぐパッキン９７が備えられている。このパッキン９７は、シリコーンゴム等のゴム製であって、図１３及び図１５に示すように、冷却ダクト４０の排水路６７における全長の約２／３にわたる基端部分の外周に嵌る筒状本体部９８を備えており、排水路６７の断面形状に整合して、上面部が平面で、底部側が円弧状をなすＵ字形断面に形成されている。
筒状本体部９８の先端の外周縁からは、ラッパ状に広がった密着環９９が形成されている。ただし密着環９９は、筒状本体部９８に対して軸線が傾いていて、図１５に示すように、先下がりの排水路６７に嵌装された場合に、密着環９９の開口面が鉛直姿勢を取るようになっている。  
また基端側では、上面部の外面側からひれ部１００が突設されているとともに、底部では、下部ストッパ７１を逃がす逃がし溝１０１が切り込み形成されている。
【００３０】
パッキン９７は、Ｕ字形同士が合うようにしてその姿勢が整えられ、排水路６７の先端に対して基端側から緊密に挿入され、下部ストッパ７１が逃がし溝１０１に進入しつつ押し込まれる。図１５に示すように、筒状本体部９８の上面部の基端側の面が上部ストッパ６９に、また逃がし溝１０１の奥端が下部ストッパ７１にそれぞれ当たったところで押し込みが停止され、このとき密着環９９の開口が鉛直姿勢を取る。  
パッキン９７が装着された状態で、排水路６７が接続口９５内に正規量挿入されると、密着環９９が弾性変形しつつ接続口９５における背面壁１５Ｂの内面への開口縁に押し付けられて密着し、排水路６７の差し込み部分がシールされるようになっている。
【００３１】
続いて、本実施形態の作用を説明する。  
冷却ダクト４０の組み付け並びに取り付けは、以下のようにして行われる。まず、ドレンパン７５に対してコードヒータ９０が配線される。繰り返すと、コードヒータ９０は、正面から見た右奥壁７９Ｂの外面に沿って配線されたのちカバー８５の上面に至り、そこで折り返されたのち左奥壁７９Ａの外面に沿って配線され、リード線９２ともどもアルミ箔９４によって貼り付けられる。なお、カバー８５の上面での折り返し部９３は、カバー８５の先端から突出して浮いた状態にある。また両リード線９２は、右奥壁７９Ｂの端部からまとめて引き出される。
【００３２】
このようにコードヒータ９０が配線装着されたドレンパン７５が、冷却ダクト４０の所定位置に載置される。このときドレンパン７５の裏面には、図３の鎖線に示すように、周縁部から少し内方に入った位置において長方形状にコーキング材１０３が塗布され、冷却ダクト４０の底面に対して押し付けられる。ドレンパン７５は、その前端側の上面に伝熱プレート１０５が重ねられたのち、前端側の図示３箇所にリベット７７が打ち込まれて固定される。なお伝熱プレート１０５は、図２に示すように、後縁側に設けられた接触部１０６が冷却器２６の下面に接触することにより、除霜運転時において加熱された冷却器２６の熱を庫内ファン３５の取付位置付近まで伝導し、ケーシング３５Ａ等の着霜を融かすことに機能する。
【００３３】
上記したドレンパン７５の取り付けに伴い、ドレンパン７５の排水口８０から突設されたカバー８５が、図１２に示すように、排水路６７の中央高さ位置よりも少し上方位置に嵌り、その下に十分な流通断面を確保しつつ排水路６７の上面開口を塞ぐ。またカバー８５の先端が、排水路６７の先端よりも控えた位置に留まることで、カバー８５の先端から突出したコードヒータ９０におけるＵ字状の折り返し部９３が、排水路６７の先端部の上方において浮いた状態で配される。ドレンパン７５の奥壁７９の外面に配線されたコードヒータ９０は、冷却ダクト４０の奥壁６５との間に構成された装着空間８２内に収納され、その装着空間８２の上面は、奥壁７９の上縁に形成されたフランジ８３で塞がれる。コードヒータ９０の両リード線９２は、図２に示すように、揃って冷却ダクト４０の右側壁４１と右側の取付板４３との間を通り、前縁に導出される。なお、そののち機械室２１側に導出される。
【００３４】
また、排水路６７における基端側（全長の約２／３の領域）の外周には、既述した要領でパッキン９７が緊密に嵌着される。  
それとともに、冷却ダクト４０の吸込口３２にはそれぞれ庫内ファン３５が載置され、対角の２位置でねじ６０で止められて固定される。各庫内ファン３５のリード線３５Ｂは、固定片６３Ａの内側に挟まれたのち、４本揃って一番の右側の固定片６３Ｂに一巻きされ、パースロック４９で保持されて導出される。
【００３５】
このように、冷却ダクト４０に対してドレンパン７５、パッキン９７並びに庫内ファン３５が装着されたら、図１６に示すように、冷却ダクト４０が貯蔵室１５の天井壁１５Ａにおける窓孔２８の下面側に取り付けられる。  
それには、同図の矢線に示すように、冷却ダクト４０に立てられた左右の取付板４３の前後の掛止部４５Ｆ，４５Ｒが、それぞれ左右の窓枠５１に形成された前後の突部５２Ｆ，５２Ｒよりも前方（図１６の左側）に外れた位置において、排水路６７を接続口９５に差し込みながら、左右の取付板４３が左右の窓枠５１の内面に沿って下方から入れられる。冷却ダクト４０の前壁４４並びに左右の側壁４１の上縁が、窓孔２８の下面側における前縁から左右の側縁にわたって当たるまで押し上げられると、各掛止部４５の掛止縁４６が、対応する突部５２の上方に至るから、引き続いて冷却ダクト４０を奥側に押し込むと、図８に参照して示すように、後側の掛止部４５Ｒの溝４７が後側の突部５２Ｒに案内されつつ嵌って、掛止縁４６Ｒが掛止面５３Ｒに掛止され、また前側の掛止部４５Ｆの掛止縁４６Ｆが前側の突部５２Ｆの掛止面５３Ｆに掛止されて仮保持される。ここで、前後の突部５２Ｆ，５２Ｒの掛止面５３Ｆ，５３Ｒが互いに逆向きの傾斜面とされているから、前後の掛止部４５Ｆ，４５Ｒを対応する突部５２Ｆ，５２Ｒに掛止したのちは、手を放しても冷却ダクト４０が落ちることはない。
【００３６】
このように冷却ダクト４０が仮保持されることに伴い、排水路６７が冷蔵庫本体１０の背面壁１５Ｂに開口された接続口９５を通って排水用通路３８内に挿入され、また、パッキン９７の密着環９９が接続口９５における背面壁１５Ｂの内面への開口縁に押し付けられて密着し、排水口８０の差し込み部分がシールされる。  
最後に、冷却ダクト４０の前縁側に設けられた２箇所の取付座５５の挿通孔５７にねじ５６を通し、天井壁１５Ａのねじ孔に螺合して締め付けることにより冷却ダクト４０が固定され、冷却ダクト４０の取り付けが完了する。
【００３７】
既述したように、冷却運転の途中で適宜に除霜運転が行われ、この除霜運転の際に、コードヒータ９０に対して通電される。  
除霜運転は、冷却器２６に設けられた除霜ヒータ（図示せず）に通電して加熱することで行われ、冷却器２６等に付着した霜が溶けて除霜水となってドレンパン７５上に滴下し、その底面の傾斜に倣って奥壁７９まで流下するとともに、奥壁７９の傾斜に沿って排水口８０まで流れ、同排水口８０から冷却ダクト４０の排水路６７を通って背面壁１５Ｂの排水用通路３８に流入される。排水用通路３８に流入した除霜水は、同排水用通路３８中を流下したのち、ドレンホースを介して所定の排水箇所に排水される。
【００３８】
この除霜運転の間、冷却器２６等から霜の塊が落下し、それがドレンパン７５の奥壁７９に流下して当たったまま残る可能性があるが、その塊は、奥壁７９の裏側に配されたコードヒータ９０の熱で融かされ、除霜水となって速やかに排水口８０から排水路６７へと排出される。また、ドレンパン７５の奥壁７９は、冷気の吹出口３３側に配されているため、奥壁７９自身にも着霜する可能性があるが、その着霜もコードヒータ９０の熱で融かされて、除霜水となって排出される。
【００３９】
また、霜の塊が、排水口８０から排水路６７に排出されたのち、同排水路６７内に留まる可能性もあるが、排水路６７の上面を覆って装着されたカバー８５の上面には、コードヒータ９０の途中位置が折り返して配線され、それにより実質的に２本が配線されているから、同コードヒータ９０により排水路６７内が加熱され、留まった塊も融かされて流される。  
一方、カバー８５上には冷却運転中に着霜する可能性があるが、カバー８５はその先端が排水路６７の先端よりも控えて設けられる一方、カバー８５上には上記のようにコードヒータ９０が折り返して配線され、Ｕ字状の折り返し部９３がカバー８５の先端から突出して、排水路６７の底面から浮いた状態となっているから、カバー８５上に着霜があった場合は、コードヒータ９０の熱で融かされてカバー８５上を傾斜に倣って流下したのち、先端から排水路６７に滴下して排出される。  
なお、カバー８５を含む排水路６７の基端側の大部分がパッキン９７の筒状本体部９８で覆われていて、コードヒータ９０の熱が逃げにくくなっているから、霜の塊や霜がより融かしやすくなる。
【００４０】
除霜運転が終了すると、冷却運転が再開されるが、上記の除霜運転の間に、ドレンパン７５の奥壁７９や排水路６７内に霜の塊が残ろうとした場合や、先の冷却運転時にできた奥壁７９やカバー８５への着霜が、コードヒータ９０の熱で溶かされてすべて排出されるから、冷却運転が再開して冷却ダクト４０すなわちドレンパン７５の奥縁側が低温雰囲気となっても、凍結が生じるおそれがない。
【００４１】
以上のように本実施形態によれば、冷却ダクト４０は、左右の取付板４３にそれぞれ設けられた前後の掛止部４５Ｆ，４５Ｒを、窓枠５１の突部５２Ｆ，５２Ｒに掛止することで仮保持できるから、ねじ５６を止める作業がしやすい。しかもねじ５６を止める箇所は、前面の開口部１８に近い冷却ダクト４０の前縁に設けられた取付座５５であって、２箇所だけで良いから、ねじ止めの作業自体も容易にかつ短時間に行える。その結果、冷却ダクト４０の取り付けがきわめて簡単となる。  
冷却ダクト４０の取り外しについても、上記とは逆に、前縁の２箇所のねじ５６を外したのち、冷却ダクト４０を手前に引いて掛止を外せば、下方に取り外すことができる。したがってメンテナンス等において、冷却ダクト４０の取り外し、再取り付けを行う場合にも、簡単に行うことができる。その上、冷却ダクト４０を仮保持する突部５２Ｆ，５２Ｒを窓枠５１に一体形成したから、部品点数の増加が抑えられ、安価に対応することができる。
【００４２】
また、後側の掛止部４５Ｒは、対応する突部５２Ｒを上下両側から挟んだ状態にあり、しかも同掛止部４５Ｒ付近は厚肉に形成されているから、例えば当該冷蔵庫の輸送時や、冷却運転時等の振動の影響を受けて冷却ダクト４０ががたつくこと、ひいてはねじ５６の締結部分が緩む等が防止される。  
なお後側の掛止部４５Ｒは、突部５２Ｒを上下に挟持することを意図しているため、溝４７内に突部５２Ｒを嵌める構造としている。このような構造では、特に後側の掛止部４５Ｒは庫内の奥深い位置にあることも手伝って、嵌めにくいと言える。そのため、溝４７、突部５２Ｒともに前狭まりの形状として、ガイド機能を持たせている。
【００４３】
これは一方で、後側の突部５２Ｒの掛止面５３Ｒが前下がりであるために、後側の掛止部４５Ｒが前方にずり落ちやすいと言える。そこで本実施形態では、前側の突部５２Ｆでは、掛止面５３Ｆを逆に後下がりの傾斜面としている。そのため、前後の掛止部４５Ｆ，４５Ｒを対応する突部５２Ｆ，５２Ｒに掛止したのちは、手を放しても冷却ダクト４０が落ちることはない。この前側の突部５２Ｆに対しては、ガイド機能は期待はできないが、掛止部４５Ｆを上から引っ掛けるだけでよく、しかも前面の開口部１８に近い位置にあるから、掛止部４５Ｆを突部５２Ｆに掛止する作業も比較的簡単に行える。  
したがって全体としては、冷却ダクト４０を仮保持するべく掛止作業を比較的簡単に行えるようにした上で、冷却ダクト４０を手を放しても落下しない仮保持状態に確実に留め置くことができる。
【００４４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、後側の掛止部が対応する突部を上下に挟持する構造としたが、前後とも上方から掛止するだけとしてもよく、そのようなものも本実施形態に含まれる。  
（２）冷却ダクトの掛止作業の簡易性を優先するのであれば、前後の突部の掛止面をともに、ガイドできるように前下がりの傾斜面としてもよい。
【００４５】
（３）前後の掛止部をともに前方を向いた略鈎状に形成し、両掛止部が対応する突部の後方に外れた姿勢で冷却ダクトを下方から差し込み、そののち冷却ダクトを手前側に移動させて両掛止部を突部に掛止させる構造としてもよい。  
（４）左右の掛止部が、冷却ダクトの後縁側に１個ずつ設けられた構造であってもよい。この場合でも、冷却ダクトは位置決めされて掛止できるから、せいぜい冷却ダクトに片手を軽く添えて押さえる程度でねじの締め付け作業を行うことができ、その結果冷却ダクトの取り付けが簡単に行える。  
（５）ダクトの掛止部を掛止するべく窓枠に設ける被掛止部は、溝のような凹部であってもよい。  
（６）本発明は冷蔵庫に限らず、冷凍庫、急速凍結庫等、要は貯蔵庫本体内の天井部にダクトを張って、冷却器室を画成する形式の冷却貯蔵庫全般に広く適用することができる。
【図面の簡単な説明】
【００４６】
【図１】本発明の一実施形態に係る冷蔵庫の縦断面図
【図２】冷却器室付近の拡大断面図
【図３】冷却ダクトのアッセンブリの平面図
【図４】その分解断面図
【図５】冷却ダクトの平面図
【図６】冷蔵庫本体の上面の平面図
【図７】冷却ダクトの取付構造を示す横断面図
【図８】その縦断面図
【図９】ドレンパンの平面図
【図１０】ドレンパンの排水口付近の斜視図
【図１１】ドレンパンの背面図
【図１２】排水路の横断面図
【図１３】パッキンの装着構造を示す一部切欠分解斜視図
【図１４】冷却ダクトのアッセンブリの縦断面図
【図１５】その排水路付近の拡大図
【図１６】冷却ダクトのアッセンブリの取付動作を示す部分縦断面図
【符号の説明】
【００４７】
１０…冷蔵庫本体（貯蔵庫本体）  １５Ａ…天井壁  １８…開口部  ２５…基台（ユニット台）  ２６…冷却器  ２８…窓孔  ３０…冷却器室  ４０…冷却ダクト（ダクト）  ４３…取付板  ４４…（冷却ダクト４０の）前壁  ４５Ｆ，４５Ｒ…掛止部  ４７…溝  ５１…窓枠  ５２Ｆ，５２Ｒ…突部（被掛止部）  ５３Ｆ，５３Ｒ…掛止面  ５５…取付座（取付部）  ５６…ねじ
【図１】
0004428534.tif 000002
【図２】
0004428534.tif 000003
【図３】
0004428534.tif 000004
【図４】
0004428534.tif 000005
【図５】
0004428534.tif 000006
【図６】
0004428534.tif 000007
【図７】
0004428534.tif 000008
【図８】
0004428534.tif 000009
【図９】
0004428534.tif 000010
【図１０】
0004428534.tif 000011
【図１１】
0004428534.tif 000012
【図１２】
0004428534.tif 000013
【図１３】
0004428534.tif 000014
【図１４】
0004428534.tif 000015
【図１５】
0004428534.tif 000016
【図１６】
0004428534.tif 000017